(57)【特許請求の範囲】
【請求項１】
発光素子を使用してディスクをモデル化した同心円状の複数の環状のセグメントとして表示パネルに備え、ディスクの装置への挿着の有無に対応させて上記セグメントを環状の大きさとして点灯表示するようにした記録再生装置において、
上記ディスクのローディング及び／又はアンローディング中の動作状態を上記セグメントを利用して動画表示するようにし、上記動画表示はローディング時には発光表示される環状セグメントの大きさが徐々に拡大表示され、アンローディング時には発光表示される環状セグメントの大きさが徐々に縮小表示されることを特徴とする記録再生装置。
【発明の詳細な説明】
【０００１】
【発明の属する技術分野】
本発明は、ビデオ・カセット・レコーダ（以下、ＶＣＲ装置という）やディスク装置等に使用されて好適な記録再生装置に関し、詳しくは、カセットテープやディスクのローディングまたはアンローディング動作を発光式のセグメントを利用して動画表示するようにした記録再生装置に関するものである。
【０００２】
【従来の技術と課題】
従来、カセットテープをモデル化した同心円状の複数の蛍光表示管をセグメントとして使用し、供給側及び巻取り側のテープの巻き具合、つまりテープの残量表示を発光するセクメントの環の数によって表示するようにしたものがある。
【０００３】
しかし、従来の方式では例えば、供給側のテープに対応するセグメントの環が１つ減少すると巻取り側のテープに対応するセグメントの環が１つ増加するような表示をしているため、環の数だけの分解能でしかテープの巻き具合の表示ができない。また、上述したようなセグメントを利用した表示方法以外の用途には従来では使用されていなかった。
【０００４】
本発明は、上述したような課題を解消するためになされたもので、ディスクのローディングまたはアンローディング動作の経過を発光式のセグメントを利用して動画表示するようにした記録再生装置を得ることを目的とする。
【０００５】
【課題を解決するための手段】
上述の目的を達成するため、本発明による記録再生装置は、発光素子を使用してディスクをモデル化した同心円状の複数の環状のセグメントとして表示パネルに備え、ディスクの装置への挿着の有無に対応させて上記セグメントを環状の大きさとして点灯表示するようにした記録再生装置において、ディスクのローディング及び／又はアンローディング中の動作状態を上記セグメントを利用して動画表示するようにし、動画表示はローディング時には発光表示される環状セグメントの大きさが徐々に拡大表示され、アンローディング時には発光表示される環状セグメントの大きさが徐々に縮小表示されることを特徴とする。
【０００６】
上述のように構成した本発明の記録再生装置は、ディスクのローディングあるいはアンローディング中の動画表示をローディング時には発光表示される環状セグメントの大きさが徐々に拡大表示され、アンローディング時には発光表示される環状セグメントの大きさが徐々に縮小表示されることで、ユーザーは動画表示を確認することによって、ディスクのローディングあるいはアンローディング動作を認識することができる。
【０００７】
【発明の実施の形態】
以下、本発明による記録再生装置の実施例をＶＣＲ装置を例にとって説明する。
【０００８】
図１はＶＣＲ装置を前面パネル側より見た斜視図である。
図１において、ＶＣＲ装置の装置本体を符号１で示す。この装置本体１の前面パネル２の上部中央部にはカセット出し入れ口を有し、通常は扉パネル３により閉止されている。
【０００９】
扉パネル３の下部にはＶＣＲ装置の蛍光表示画面４があり、この蛍光表示画面４の下部にＶＣＲ装置を操作する操作パネルとしてのコントロールパネル５が収納されている。
【００１０】
上述した蛍光表示画面４の一側方（右側方）部分には本発明の動画表示画面６が配置されている。この動画表示画面６の正面図を図２に示す。
【００１１】
動画表示画面６は着色された半透明材の基板７に形成されており、この基板７部分に蛍光表示管を使用してカセットテープをモデル化した同心円状の複数のセグメント（実施例では５本の環状のセグメント）８及び９が左右に一対配置されている。左側のセグメント８は供給側のテープの巻き具合を意味し、中心の三角印はリール軸を意味している。また、右側のセグメント９は巻取り側のテープを意味し、中心の三角印はリール軸を意味している。
【００１２】
このセグメント８及び９の各セグメントについて説明すると、供給側のセグメント８は最内周から第１のセグメント８ａ、第２のセグメント８ｂ、第３のセグメント８ｃ、第４のセグメント８ｄ、そして最外周が第５のセグメント８ｅである。
【００１３】
巻取り側のセグメント９は最内周から第１のセグメント９ａ、第２のセグメント９ｂ、第３のセグメント９ｃ、第４のセグメント９ｄ、そして最外周が第５のセグメント９ｅである。
【００１４】
また、両セグメント８，９の外方には蛍光表示管を使用してカセットの形状を意味する枠体１０が配置されている。このように構成した基板７の周囲には多数の端子１１が取り付けられ、駆動回路に接続されている。
【００１５】
次に、上述のように構成した動画表示画面６の動作について説明する。
図３ａ〜ｅはカセットテープがアンローティング位置からローディング位置に至るまでのローディング動作中と、ローディング位置からアンローディング位置に至るまでのアンローディング動作中において動画表示画面６に表示される動画表示の例である。
【００１６】
カセットがＶＣＲ装置内に挿入されていない状態では動画表示画面６は何も表示されていない。かくして、カセットがローディング開始動作つまり、ローディングスイッチがオンされた時点では、動画表示画面６にはａに示すように供給側及び巻取り側のセグメント８，９は、最内周の第１のセグメント８ａ，９ａのみが点灯表示される。カセットのローディング動作が進行すると、次に第２のセグメント８ｂ，９ｂのみが点灯表示され、以下、同様に第３のセグメント８ｃ，９ｃ、第４のセグメント８ｄ，９ｄが点灯表示され、カセットがダウン時のスイッチをオンした時点で最外周の第５のセグメント８ｅ，９ｅのみが点灯表示される。すなわち、カセットのこの一連の動作中においてセグメント８，９は最少の第１のセグメント８ａ，９ａから最大の第５のセグメント８ｅ，９ｅが連続して動画表示されることになる。
【００１７】
続いて、カセットがダウン時のスイッチをオンしたとき、図３ｅと同様な表示画面である図４の状態においてカセットのテープの巻き具合が演算され、ローディング完了時において図５に示すようにテープ巻き具合に応じた表示画面、すなわちテープ残量表示画面となる。
【００１８】
このように本発明によれば、カセットのローディング及びアンローディング動作中の状態が動画表示画面６に動画表示されていることがユーザーが容易に認識することができ、その後の操作手順を誤りなく行うことができる。
【００１９】
一方、ローディング状態からカセットのアンローディング動作では、図５に示した残量表示画面からカセットのダウンスイッチがオフすると、図３ｅの表示画面に戻りその後、カセットがアンローディング動作中に上述したローディング動作とは逆にセグメント８，９が最大の第５のセグメント８ｅ，９ｅから最少の第１のセグメント８ａ，９ａへ連続して動画表示される。そして、アンローディング完了時においてセグメント８，９は消灯し表示されない。
【００２０】
図４は上述したローディング及びアンローディング動作状態の別の動画表示方法である。
【００２１】
これによれば、カセットがローディング開始動作からカセットのダウンスイッチがオン動作するまでのローディング動作中の動画表示がセグメント８，９の最少の第１のセグメント８ａ，９ａから第２のセグメント８ｂ，９ｂ、第３のセグメント８ｃ，９ｃ、第４のセグメント８ｄ，９ｄ、そして最大の第５のセグメント８ｅ，９ｅが次々と重なっていく動画表示となっている。尚、アンローディング動作のときは、ローディング動作とは逆の動画表示が行われる。
【００２２】
この場合の動画表示ではローディング動作が進行するにつれてひと環づつ重なっていくため、ユーザーがローディング動作及びアンローディング動作をさらに容易に認識することができることになる。
【００２３】
図７ａ〜ｉはテープ残量表示の一例を示したものである。
図７ａはカセットの供給側リールにテープが全て巻かれている状態、つまりセグメント８は全てのセグメント８ａ〜８ｅが点灯表示されている表示画面である。この状態からテープが巻取り側リールに巻かれていくと、図７ｂに示すようにセグメント９には第２のセグメント９ｂが点灯表示される。このとき、セグメント８には全てのセグメント８ａ〜８ｅが点灯表示されている。その後、テープが巻取り側リールに巻き取られていくと、ここで初めて図７ｃに示すようにセグメント８の最大の第５のセグメント８ｅが消灯し、セグメント９は図７ｂと同様に第２のセグメント９ｂが点灯している状態である。
【００２４】
このように図７に示したテープ残量表示は、テープの走行が進行するに伴ってセグメント８及び９の環の数を交互に増減させることによって、図７ｉに示すように巻取り側リールにテープが全て巻き取られるまでのテープ残量表示を９段階の画面表示が可能となり、これによって、テープ残量表示の分解能を大幅に向上させることができ、残量表示の推移をよりリアルに表示することができると共に、テープ巻き状態のより正確なポジションを認識することができる。
【００２５】
本発明は、上述しかつ図面に示した実施例に限定されるものでなく、その要旨を逸脱しない範囲内で種々の変形実施が可能である。
【００２６】
セグメント８，９は同心円状に環状の場合が好適であるが、その他の形状の図形を同心円状にするようにしてもよい。
【００２７】
また、セグメント８，９は蛍光表示管を使用した場合について説明したが、蛍光表示管以外の発光素子を使用することであっても勿論可能である。
【００２８】
実施例ではＶＣＲ装置においてカセットのローディングあるいはアンローディング動作を動画表示する場合について説明したが、ディスクをローディングあるいはアンローディング動作する際の動画表示にも適用可能である。また、ＶＣＲ装置以外、ＶＴＲ装置やその他、カセットやディスクを使用するオーディオ装置等の記録再生装置にも広く適用可能である。
【００２９】
【発明の効果】
以上説明したように、本発明の記録再生装置は、ディスクのローディングあるいはアンローディング中の動画表示をローディング時には発光表示される環状セグメントの大きさが徐々に拡大表示され、アンローディング時には発光表示される環状セグメントの大きさが徐々に縮小表示されることで、ユーザーは動画表示を確認することによって、ディスクのローディングあるいはアンローディング動作を認識することができ、その後の操作手順を誤りなく行うことができるといった効果がある。
【図面の簡単な説明】
【図１】本例のＶＣＲ装置の前面パネル部分の斜視図である。
【図２】動画表示画面の正面図である。
【図３】動画表示の動作の変化を示す説明図である。
【図４】テープ巻き具合の演算中の動画表示画面である。
【図５】動画表示からテープ残量表示画面に移った状態の動画表示画面である。
【図６】動画表示の動作の別の例を示す説明図である。
【図７】テープ残量表示の変化を示す一例の説明図である。
【符号の説明】
１  ＶＣＲ装置
４  蛍光表示画面
６  動画表示画面
７  基板
８  供給側リールのセグメント
８ａ〜８ｅ  第１〜第５のセグメント
９  巻取り側リールのセグメント
９ａ〜９ｅ  第１〜第５のセグメント
【図１】
0003605888.tif 000002
【図２】
0003605888.tif 000003
【図３】
0003605888.tif 000004
【図４】
0003605888.tif 000005
【図５】
0003605888.tif 000006
【図６】
0003605888.tif 000007
【図７】
0003605888.tif 000008